(57)【要約】【課題】コンクリート建築工法において、打ち放し型枠用のセパレーター端部に取り付けるピーコンの改良。【解決手段】側面形状が梯形をなし、正面円形状の一方小円部２の直径が１２ｍｍ、他方大円部３の直径が１８ｍｍであって、梯形の長さ４が２５ｍｍに形成されているピーコンプラスチック部１からなり、その中空の内部はピーコン軸部７を嵌合できる二段の内径が、小内径５の内径１０ｍｍと、大内径６の内径１３ｍｍとを有し、これに挿入嵌合させるピーコン軸部７は、長さ１０が４９ｍｍ、太さが軸部円筒部１１の径８が１０ｍｍ、軸部下部１３の径９が７ｍｍであり、中央部の六角部１２が８ｍｍの螺子となり、１４はセパレーターの雄螺子と螺着する雌螺子で、この軸部下部１３をピーコンプラスチック部１の小円部２側から挿入一体化せしめてなる、全体を小径化させたピーコンの構造にある。【選択図】図２
0003119083.tif 000002
【実用新案登録請求の範囲】
【請求項１】
鉄筋コンクリート建築方法における、壁面コンクリートの打ち放し型枠用のセパレーター端部に取り付けるピーコンの形状において、側面形状が梯形をなし、正面円形状の一方小円部２の直径が１２ｍｍ、他方大円部３の直径が１８ｍｍであって、梯形の長さ４が２５ｍｍに形成されているピーコンプラスチック部１からなり、その中空の内部はピーコン軸部７を嵌合できる二段の内径が、小内径５の内径１０ｍｍと、大内径６の内径１３ｍｍとを有し、これに挿入嵌合させるピーコン軸部７は、長さ１０が４９ｍｍ、太さが軸部円筒部１１の径８が１０ｍｍ、軸部下部１３の径９が７ｍｍであり、中央部の六角部１２が８ｍｍの螺子となり、１４はセパレーターの雄螺子と螺着する雌螺子で、この軸部下部１３をピーコンプラスチック部１の小円部２側から挿入一体化せしめてなる、全体を小径化させたことを特徴とするピーコン。
【考案の詳細な説明】
【技術分野】
【０００１】  本考案は、鉄筋コンクリート建築におけるコンクリートの打ち放し型枠用の丸セパレーター（以下セパという）の端部に取り付けるプラスチック製の部品に関する。
【背景技術】
【０００２】  鉄筋コンクリート構造は、耐火性、耐久性に優れ、わが国では最も普及している耐震構造の一つで、低層の小住宅からビジネス関係のビルに至る幅広い方面で利用されている。施工期間が長いことが欠点と言えるが、型枠さえ作ることができればかなり自由な形のものを作る事が可能である。【０００３】  コンクリートは、セメント、砂、砂利、水を混ぜて練り合わせ、型枠につめ込んで作られる材料で、圧縮には強いが引っ張りに対しては非常に弱く引張強度は圧縮強度の１／１０程度しかない。【０００４】  鉄筋は、コンクリートと異なり、引っ張りにも圧縮にも強く小さな断面積でも大きな軸力を負担できる。それら長所を組み合わせた鉄筋コンクリート構造では、部材断面が大きなものとなるので構造材だけでも相当の自重となる。このため大スパンや高層建築には不向きとされ、一般的にはスパンは約１０ｍ、高さは６、７階とされてきた。【０００５】  しかしながら、最近では高強度コンクリートの開発や構造形式の工夫などによって、高層鉄筋コンクリート構造も出現している。それら構築物の側壁となるコンクリートの打ち放し型枠用のセパの端部に取り付ける木製又はプラスチック製のピーコンという部品を用いるが、従来は木製であったが、最近では合成樹脂製のものが品質及び繰り返し使用に対する耐久力にも優れることから、もっぱらこれに変わってきている。【０００６】  コンクリートの流し込みから硬化後、コンクリートパネル（コンパネ）をはずす際、硬化したコンクリートに埋設されているピーコンは通常１２ｍｍのソケットビットでコンパネを繋いでいたセパから取り外される。そうすると、そこに深さ２５ｍｍ、口径３０ｍｍの孔が４５ｃｍピッチから６０ｃｍピッチ間隔で各所に孔が生ずることになる。【０００７】  表面化粧のため、モルタルを埋め込んで補修することになるが、単にそうしただけでは後日その部分から水が進入してコンクリートは侵され、鉄材はさび、強いはずの鉄筋コンクリート構造物は内部から痛んで行くことになる。その多数の孔につめ込むモルタルの量も少しばかりではないし、防水のため内部だけをコーキングして表面をモルタルで仕上げる方法を採るが、その際の使用量も相当なものとなる。【０００８】  現在の建築基準においては、ピーコンの大小の円形部が２９ｍｍと２２ｍｍ、長さが２５ｍｍのものを一般工事現場で使用しているのが実情である。
【考案の開示】
【考案が解決しようとする課題】
【０００９】  本考案は、その点に着目し巨大建築にあっては僅かであるかもしれないが、ピーコンの寸法を可能な限り小さくすること、即ち、コンパネを支持するに十分な強度を保持し、且つ、従来使用されているセパの径及びコンパネ厚さ１２ｍｍ、そして留め金具の寸法と違うことなく、ただピーコンを外したときの壁面の孔の寸法のみを小さく規定して、モルタルの量を軽減しコーキングも容易にすることを課題としている。
【課題を解決するための手段】
【００１０】  本考案は、次の通りの構成を有するものである。
即ち、鉄筋コンクリート建築方法における、壁面コンクリートの打ち放し型枠用のセパレーター端部に取り付けるピーコンの形状において、側面形状が梯形をなし、正面円形状の一方小円部２の直径が１２ｍｍ、他方大円部３の直径が１８ｍｍであって、梯形の長さ４が２５ｍｍに形成されているピーコンプラスチック部１からなり、その中空の内部はピーコン軸部７を嵌合できる二段の内径が、小内径５の内径１０ｍｍと、大内径６の内径１３ｍｍとを有し、これに挿入嵌合させるピーコン軸部７は、長さ１０が４９ｍｍ、太さが軸部円筒部１１の軸部上部径８が１０ｍｍ、軸部下部１３の径９が７ｍｍであり、中央部の六角部１２が８ｍｍの螺子となり、１４はセパレーターの雄螺子と螺着する雌螺子で、この軸部下部１３をピーコンプラスチック部１の小円部２側から挿入一体化せしめてなる、全体を小径化させたピーコンの構造にある。
【考案の効果】
【００１１】  従来、コンクリートの厚さにもよるが、ピーコンを使用するピッチは、決められた厚さが１２ｍｍのコンパネに７ｍｍの孔が、４５ｃｍピッチ又はそれ以上の間隔で開けられている枠を用いるのが通例であるが、本考案に係る小型のピーコンを用いることにより、仕上げする際に使用するモルタルも１／３の少量で済み、孔径を小さくすることでコーキング作業も容易になし得る利点が有る。【００１２】  これらの事項に関しては建築工事に携わる業種が異なることで、各業者において知り得ない狭間にあると考えられ、枠組み工事関係者（ピーコンを組み立てる業種）とモルタル仕上げする業種が異なることに起因している。本考案に係る小型ピーコンを知見したことにより、それ自体の製作費はもとより、コーキング作業も楽に済みモルタルの量も大いに抑制できるという顕著な作用効果を奏する。
【考案を実施するための最良の形態】
【００１３】  本考案に係るピーコンと従来品のピーコンとの対比において記載すると、１（本考案のもの）と１０１（従来品は全て１００桁台で示す））では、両者の長さ４及び１０４は共に２５ｍｍと同一で、本考案のものはそれぞれ上下の小円部２が１２ｍｍ、大円部３が１８ｍｍであり、内径がそれぞれ５が１０ｍｍ、６が１３ｍｍであるのに対して、従来品は、小円部１０２が２２ｍｍ、大円部１０３が２９ｍｍで、内径がそれぞれ１０５が１３ｍｍ、１０６が２２ｍｍと寸法にかなりの差がある。【００１４】  軸部の７及び１０７についてみれば、それぞれ、軸部下部径９及び１０９の径については両者同一であり（これは従来品の規格に準じておりセパ、コンパネ、留め金具の寸法との整合を図っている）、ただ軸部上部径８が１０ｍｍであるのに対して１０８が１８．５ｍｍで有り、螺子となる六角部１２が８ｍｍであるのに対して１１２は１２ｍｍと異なっており、何れもピーコンプラスチック部１及び１０１の内径にがっちり嵌合できるように整合させる。
【実施例】
【００１５】  図面との対比において本考案のものと、従来品とを比較すると前記した段落１３及び段落１４に記載してその寸法の違いを明らかにした。図面において、図１は本考案に係るピーコン軸部の側面図、図２は同ピーコンプラスチック部の側面図、図３は従来品のピーコン軸部の側面図、図４は同ピーコンプラスチック部の側面図。括弧内はそれぞれの寸法をｍｍで記載した。図５は、双方のコンパネ１６の所定ピッチの孔にピーコンＰを挿入し、所定間隔の長さのセパ１５を渡して留め金１７の雄螺子１８を、ピーコンＰの軸部内径１４の雌螺子に螺着し、補強パイプ２０を挟んで留め金ナット１９で締めつけて型枠を作り、ここにコンクリート２１を流し込むところの一般的な実施態様の概念図である。【００１６】  側面形状が梯形で、正面円形状の一方小円部２の直径が１２ｍｍ、他方大円部３の直径が１８ｍｍであって、梯形の長さ４が２５ｍｍに形成されているピーコンプラスチック部１からなり、その中空の内部はピーコン軸部７を嵌合できる二段の内径が、小内径５の内径１０ｍｍと、大内径６の内径１３ｍｍとを有し、これに挿入嵌合させるピーコン軸部７は、長さ１０が４９ｍｍ、太さが軸部円筒部１１の径８が１０ｍｍ、軸部下部１３の径９が７ｍｍであり、中央部の六角部１２が８ｍｍの螺子となり、１４はセパの雄螺子と螺着する雌螺子で、この軸部下部１３をピーコンプラスチック部１の小円部２側から挿入一体化せしめてなる、全体を小径化させたピーコンを作成し実施したところ、コンクリート壁の孔も小さく、従来品を用いた場合に比してモルタルの使用量も１／３で済み、ランニングコストを考慮すると多大の効果である。
【産業上の利用可能性】
【００１７】  現在のコンクリート建築において、一つの建物についても数多くの業種が携わるが、コンクリートの打ち放し型枠をセットする部分、それを流し込む業種、硬化後型枠をはずした後、表面の化粧のため、モルタル仕上げする業種等々、お互いに整合するデメリットが気づかずに仕事をしている可能性が有り、本考案者によってそれが知見され一つのピーコンを改良したために、仕事を請け負った立場の業者にとって、経費の節減ができるという大きな利点がある。
【図面の簡単な説明】
【００１８】
【図１】本考案に係るピーコン軸部の側面図
【図２】本考案に係るピーコンプラスチック部の側面図
【図３】従来品のピーコン軸部の側面図
【図４】従来品のピーコンプラスチック部の側面図
【図５】一般的なピーコン実施態様の概念図
【符号の説明】
【００１９】１ピーコンプラスチック部
２同小円部径
３同大円部径
４同長さ
５同小内径
６同大内径
７ピーコン軸部
８同上部径
９同下部径
１０同長さ
１１同円筒部
１２同六角部
１３同下部
１４同内径
１５セパレーター
１６コンクリートパネル
１７留め金
１８留め金雄螺子
１９留め金ナット
２０補強パイプ
２１コンクリート
１０１〜１１４：本考案の１〜１４に相当する従来品の符号
Ｐピーコン
【図１】
0003119083.tif 000003
【図２】
0003119083.tif 000004
【図３】
0003119083.tif 000005
【図４】
0003119083.tif 000006
【図５】
0003119083.tif 000007